(57)【要約】【課題】モニタの前後両方向に対する衝突に応じて開閉動作を行うことが可能なモニタ装置を提供する。【解決手段】モニタ装置は、前面及び背面を備えるシャーシ２０と、バックカバー３０と、スイッチ２４と、フロントカバー４０と、レバー５０と、を備える。バックカバーは、シャーシの背面に対して近接および離間可能にシャーシの背面側に配置される。スイッチは、バックカバーがシャーシの背面に対して第１距離まで近接したことを検出する。フロントカバーは、シャーシの前面に対して近接および離間可能にシャーシの前面側に配置される。レバーは、フロントカバーがシャーシの前面に対して第２距離まで近接するのに伴ってバックカバーをシャーシの背面に対して第１距離まで近接させるようにバックカバーと接続する。【選択図】図５
2016157106.tif 000002
【特許請求の範囲】
【請求項１】
第１面及び第２面を備える基材と、
前記第１面に対して近接および離間可能に、前記基材の前記第１面側に配置される第１部材と、
前記第１部材が前記第１面に対して第１距離まで近接したことを検出するスイッチと、
前記第２面に対して近接および離間可能に、前記基材の前記第２面側に配置される第２部材と、
前記第２部材が前記第２面に対して第２距離まで近接するのに伴って、前記第１部材を前記第１面に対して前記第１距離まで近接させるように、前記第１部材と接続するリンク部材と、を備える、モニタ装置。
【請求項２】
前記第２部材は、前記第２面側に、前記リンク部材と当接可能にまたは接続して配置されたピンを備え、
前記リンク部材は、前記第１部材と接続する一端部と、前記ピンと当接可能であるまたは接続する他端部と、前記一端部と前記他端部との間に位置し前記基材と接続する支点と、を備えて、前記支点を中心に揺動する、
請求項１記載のモニタ装置。
【請求項３】
前記ピンは、前記基材を貫通して前記第１面側に突出し、
前記リンク部材は、前記基材の前記第１面側に配置される、
請求項２記載のモニタ装置。
【請求項４】
前記基材と前記第１部材とを離間させる弾性部材を備える、
請求項１記載のモニタ装置。
【請求項５】
前記リンク部材は、前記第１部材と接続する一端部と、ピンが接続された他端部と、前記一端部と前記他端部との間に位置し前記基材と接続する支点と、を備えて、前記支点を中心に揺動し、
前記ピンは、前記第２部材と当接可能である、
請求項１記載のモニタ装置。
【発明の詳細な説明】
【技術分野】
【０００１】
本開示は、開閉式のモニタ装置に関する。
【背景技術】
【０００２】
特許文献１は、開閉式のモニタ格納装置を開示する。このモニタ格納装置は、荷重検知部を備え、リアパネルへの押圧を検知すると、モニタを格納位置へ移動させる。この構成により、人や物体が衝突した際にモニタが格納されるように制御することができる。
【先行技術文献】
【特許文献】
【０００３】
【特許文献１】特開２０１４−２０２８０９号公報
【発明の概要】
【発明が解決しようとする課題】
【０００４】
本開示は、モニタの前後両方向に対する衝突に応じて開閉動作を行うことが可能なモニタ装置を提供する。
【課題を解決するための手段】
【０００５】
本開示におけるモニタ装置は、第１面及び第２面を備える基材と、第１部材と、スイッチと、第２部材と、リンク部材と、を備える。第１部材は、第１面に対して近接および離間可能に基材の第１面側に配置される。スイッチは、第１部材が第１面に対して第１距離まで近接したことを検出する。第２部材は、第２面に対して近接および離間可能に基材の第２面側に配置される。リンク部材は、第２部材が第２面に対して第２距離まで近接するのに伴って第１部材を第１面に対して第１距離まで近接させるように第１部材と接続する。
【発明の効果】
【０００６】
本開示におけるモニタ装置は、モニタの前後両方向に対する衝突に応じて開閉動作を行うのに有効である。
【図面の簡単な説明】
【０００７】
【図１】実施の形態１において、モニタ装置におけるモニタの閉状態を示す斜視図
【図２】実施の形態１において、モニタ装置におけるモニタの開状態を示す斜視図
【図３】実施の形態１におけるモニタ装置の外観斜視図
【図４】実施の形態１におけるモニタ装置の側面図
【図５】実施の形態１におけるモニタの内部の構造を示す図
【図６】実施の形態１におけるモニタの内部の構造を示す拡大図
【図７】実施の形態１におけるモニタ装置の衝突検知に関する電気的構成を示すブロック図
【図８】実施の形態１におけるモニタの展開中にバックカバーに外力が加わったときの動作を説明する図
【図９】実施の形態１におけるモニタの格納中にフロントカバーに外力が加わったときの動作を説明する図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
本開示の実施の形態１に係るモニタ装置１０について、図１〜図９を用いて説明する。図１は、モニタ装置１０が航空機の客室内における天井部に設置され、モニタ２を閉じた閉状態を示す斜視図である。図２は、モニタ装置１０において、モニタ２の使用時の開状態を示す斜視図である。モニタ装置１０は、旅客用航空機の客室Ｓの天井４、特に、天井４に設置された開閉可能な荷物棚４ａの下方に設けられる。モニタ装置１０は、映像を表示可能なモニタ２と、モニタ２を格納するための収納部５とを備える。モニタ２は、収納部５に収納された閉状態と、閉状態から回転移動することにより収納部５から露出した開状態との間を移動可能である。
【００１１】
［１−１．モニタ２の構成］
図３は、モニタ装置１０の外観斜視図である。図４は、モニタ装置１０の側面図である。各図は、モニタ装置１０のモニタ２が開いた開状態を示している。モニタ装置１０は、図３に示すように、モニタ２を回転駆動するためのモータ６０、収納部５に対するモニタ２の回動中心である回転軸３を備える。回転軸３は、収納部５に対してモニタ２を回動可能に連結する。また、モニタ２は、シャーシ２０と、バックカバー３０と、フロントカバー４０と、液晶パネル２ｂとを備える。ここで説明の便宜上、モニタ２の長手方向に沿った向きをＸ軸、短手方向に沿った向きをＹ軸、モニタ２の前面および背面に対する法線に沿った向きをＺ軸と定義する。モニタ２は、図３に示すように、開状態において、幅方向（長手方向）の長さが高さ方向（短手方向）よりも長い略矩形状を有するが、これに限定されるものではない。
【００１２】
シャーシ２０は、モニタ２の本体である。シャーシ２０のうち、モニタ２の前面側の面を前面、モニタ２の背面側の面を背面と定義する。なお、以下の説明では、各部材においてモニタ２の前面側を向いた面を前面、モニタ２の背面側を向いた面を背面と呼ぶ。
【００１３】
バックカバー３０は、モニタ２の背面（すなわちシャーシ２０の背面側）に設けられる外装部品である。バックカバー３０は、Ｘ軸に平行に設けられた取り付け軸２１においてシャーシ２０に保持される。取り付け軸２１はシャーシ２０の上部の背面側に設けられ、バックカバー３０の両側面を保持する。バックカバー３０は、取り付け軸２１を中心として、微小な範囲で回転可能である。即ち、バックカバー３０が取り付け軸２１を中心として微小に回動すると、バックカバー３０の先端部はシャーシ２０に対して略Ｚ軸方向に微小移動する。
【００１４】
フロントカバー４０は、モニタ２の前面（すなわちシャーシ２０の前面側）に設けられる外装部品である。フロントカバー４０は、中央に開口部を有する。フロントカバー４０は、Ｘ軸に平行に設けられた取り付け軸２２においてシャーシ２０に保持される。取り付け軸２２はシャーシ２０の上部の前面側に設けられ、フロントカバー４０の両側面を保持する。フロントカバー４０は、取り付け軸２２を中心として、微小な範囲で回転可能である。即ち、フロントカバー４０が取り付け軸２２を中心として微小に回動すると、フロントカバー４０の先端部はシャーシ２０に対して略Ｚ軸方向に微小移動する。
【００１５】
液晶パネル２ｂは、シャーシ２０に固定される。液晶パネル２ｂは、フロントカバー４０の開口部から外部に露出している。液晶パネル２ｂは、外部から入力される映像信号に基づく映像を表示することが可能である。
【００１６】
モニタ２は、Ｘ軸に平行な回転軸３を中心として、収納部５の平面に対して平行な格納状態（閉状態）から、収納部５の平面に対して約１１０度まで開いた展開状態（開状態）までの範囲での回転運動を可能とする。モニタ２は、モータ６０によって駆動される。
【００１７】
図５は、モニタ２の先端部の内部構造について、図４に示すＡ方向から見たときの様子を示す図である。また、図６は、図５の一部を拡大した図である。ここでモニタ２の先端部とは、モニタ２の短手方向（Ｙ軸方向）において回転軸３から遠い側の端部を指す。本実施の形態のモニタ装置１０は、モニタ２の先端部の長手方向（Ｘ軸方向）における両端部に、対称に衝突検出のための構成を備える。以下では、このうち片側について説明するが、反対側の構成についても同様である。
【００１８】
シャーシ２０には、基板２３と、スイッチ２４と、軸受２５と、ばね２７と、軸５１と、レバー５０とが設けられる。基板２３は、シャーシ２０の背面（バックカバー３０側の面）に固定されている。スイッチ２４は、基板２３上の、背面（バックカバー３０側の面）に固定されている。軸受２５は、シャーシ２０の背面（バックカバー３０側の面）に固定されている。軸受２５は、軸５１をＹ軸回りに回転可能に保持している。軸５１はレバー５０に固定され、軸受２５は、軸５１を介して、レバー５０を保持している。
【００１９】
レバー５０は、図６に示すように、“く”の字形状を有し、その途中の位置（コーナー部）に設けられた軸５１により支持され、軸５１を中心（支点）として所定範囲内で回転可能なレバー状の部材である。レバー５０は、一端部側にＹ軸方向に平行な軸５２を備える。レバー５０は、軸５２とは反対側の他端部側に面５３を備える。レバー５０は、支点（コーナー部）の位置から両端がバックカバー３０側（シャーシ２０から遠ざかる方向）に向けてそれぞれ延出し、“く”の字形状に屈曲している。これにより、レバー５０は、一端部および他端部がいずれも支点より背面側（バックカバー３０側）に位置するように、軸５１を介して軸受２５に支持され、支点である軸５１を中心に揺動する。
【００２０】
レバー５０の一端部はモニタ２のＸ軸方向の端部側に配置され、レバー５０の他端部はモニタ２のＸ軸方向の中央部側に配置される。面５３は、レバー５０の前面側（フロントカバー４０側）に設けられる。面５３は、図６に示すように、レバー５０に設けられたコの字状の切り欠き部の底面であるが、必ずしもレバー５０に切り欠き部を形成する必要はない。面５３は、後述するピン４１が当接可能となっている。
【００２１】
ばね２７は、シャーシ２０とバックカバー３０との間で保持されている。ばね２７は、バックカバー３０をシャーシ２０から離れる方向に付勢する。ばね２７は、モニタ２に対する衝突等の外力が作用しない状態において、シャーシ２０とバックカバー３０との間隔およびシャーシ２０とフロントカバー４０との間隔を所定の距離に保持する。ばね２７は、バックカバー３０が取り付け軸２１を中心として回転する動きに応じて微小な範囲でＺ軸方向に伸縮する。ばね２７は、図６に示すように、モニタ２のＸ軸方向において、レバー５０と端部との間に配置される。
【００２２】
バックカバー３０は、突起３１、軸受３５を備える。突起３１は、モニタ２の先端部におけるＸ軸方向の中央部付近であってバックカバー３０の内面側（前面側）に固定され、基板２３上のスイッチ２４と対向している。軸受３５は、バックカバー３０の内面側に固定されている。軸受３５は、Ｘ軸に沿った長穴であり、レバー５０の軸５２を保持する。このとき、軸５２は、バックカバー３０のシャーシ２０に対する移動および軸５１を中心としたレバー５０の回動に伴って、軸受３５の長穴内をＸ軸方向に微小な範囲で移動しながら回転することが可能である。このようにして軸受３５は、軸５２を介してレバー５０の一端部を保持している。バックカバー３０が取り付け軸２１を中心として微小回転するとき、バックカバー３０の先端部は、概ねＺ軸方向に移動する。これにより、バックカバー３０は、シャーシ２０の背面に対して近接および離間が可能である。
【００２３】
フロントカバー４０は、内面側（背面側）に、バックカバー３０に向いて突出するピン４１を備える。ピン４１は、フロントカバー４０に固定されている突起である。ピン４１は、シャーシ２０に設けられた孔２６を貫通してバックカバー３０側に突出しており、レバー５０の面５３に当接可能である。フロントカバー４０が取り付け軸２２を中心として微小回転するとき、フロントカバー４０の先端部は、概ねＺ軸方向に移動する。これにより、フロントカバー４０は、シャーシ２０の前面に対して近接および離間が可能である。フロントカバー４０が移動すると、それに伴ってピン４１も一体となって概ねＺ軸方向に移動する。
【００２４】
図７は、モニタ装置１０の衝突検知に関する電気的構成を示すブロック図である。モニタ装置１０は、ＣＰＵ１５と、スイッチ２４と、モータ６０とを備える。図７に示すようにスイッチ２４およびモータ６０は、ＣＰＵ１５と接続されている。モニタ装置１０に人や物体が衝突し、バックカバー３０またはフロントカバー４０が押し込まれることによって、スイッチ２４がオン（ＯＮ）の状態になると、ＣＰＵ１５がこれを検出する。ＣＰＵ１５は、スイッチ２４のオンを検出すると、駆動指示によりモータ６０の駆動を制御する。
【００２５】
シャーシ２０は、基材の一例である。シャーシ２０の背面は、第１面の一例である。シャーシ２０の前面は、第２面の一例である。バックカバー３０は、第１部材の一例である。フロントカバー４０は、第２部材の一例である。レバー５０は、リンク部材の一例である。
【００２６】
［１−２．モニタ２の動作］
本実施の形態のモニタ装置１０は、モニタ２のバックカバー３０、もしくはフロントカバー４０が所定の外力を受けた場合に、自動的にモニタを格納状態もしくは展開状態に移動させる。以下、そのときの動作について説明する。
【００２７】
［１−２−１．モニタ２の展開時の動作］
図８は、モニタ装置１０がモニタ２を閉状態から開状態へと展開中に、バックカバー３０に外力が加わったときの動作を説明する図である。ＣＰＵ１５がモータ６０を駆動して、モニタ２を閉状態から開状態へ回転させる動作中に、バックカバー３０側に所定の外力が加わった場合を考える。このとき、バックカバー３０は、取り付け軸２１を中心として、わずかに回転運動し、モニタ２の先端部において、シャーシ２０の方向へ近づくように移動する。バックカバー３０がシャーシ２０側に近接し、バックカバー３０とシャーシ２０の背面との距離が第１距離にまで縮まると、バックカバー３０の突起３１が基板２３上にあるスイッチ２４を押し込む。スイッチ２４が押し込まれることにより、ＣＰＵ１５がこれを検出する。ＣＰＵ１５は、モータ６０を逆転させる駆動指示を行い、モニタ２を開状態から閉状態へ向かう方向に回転させる。これにより、モニタ２は閉状態へと戻る。
【００２８】
また、モニタ２がバックカバー３０側に外力を受けて、バックカバー３０がシャーシ２０の方向へ近づくように移動すると、バックカバー３０の軸受３５を介して、レバー５０の軸５２はシャーシ２０に近づく方向に力を受ける。そして、レバー５０は、軸５１を中心として、図８に示すＲ方向に微小な回転運動を行う。
【００２９】
バックカバー３０側への所定の外力がなくなると、シャーシ２０の方向へ移動したバックカバー３０は、ばね２７の復元力により、元の位置へと戻り、スイッチ２４はオフとなる。バックカバー３０の軸受３５を介して、レバー５０の軸５２がシャーシ２０から離れる方向に力を受け、レバー５０は、図８に示すＲ方向とは逆に微小な回転運動を行う。
【００３０】
なお、バックカバー３０に加わる外力が所定の値を超えなかった場合は、バックカバー３０はシャーシ２０の背面との距離が第１距離になるまで移動しないため、突起３１は基板２３上にあるスイッチ２４を押し込まない。
【００３１】
［１−２−２．モニタ２の格納時の動作］
図９は、モニタ装置１０がモニタ２を開状態から閉状態へと格納中に、フロントカバー４０に外力が加わったときの動作を説明する図である。ＣＰＵ１５がモータ６０を駆動して、モニタ２を開状態から閉状態へ回転させる動作中に、フロントカバー４０側に所定の外力が加わった場合を考える。このとき、フロントカバー４０は、取り付け軸２２を中心として、わずかに回転運動し、モニタ２の先端部において、シャーシ２０の方向へ近づくように移動する。フロントカバー４０がシャーシ２０の方向へ移動することにより、ピン４１もフロントカバー４０と一体に移動し、レバー５０の面５３を押す。面５３がバックカバー３０に近づく方向に押されることにより、レバー５０は、軸５１を中心として、図９に示すＲ方向に微小な回転運動を行う。レバー５０の回転運動により、軸５２は軸受３５の長穴に沿って移動しつつ、バックカバー３０をシャーシ２０の方向へ移動させる。
【００３２】
このとき、フロントカバー４０がシャーシ２０の前面に近接し、フロントカバー４０とシャーシ２０の前面との距離が第２距離にまで縮まると、これに伴ってバックカバー３０がシャーシ２０の方向へ近接し、バックカバー３０とシャーシ２０の背面との距離が第１距離にまで縮まる。これにより、バックカバー３０の突起３１が基板２３上にあるスイッチ２４を押し込む。スイッチ２４が押し込まれることにより、ＣＰＵ１５がこれを検出する。ＣＰＵ１５は、モータ６０を逆転させる駆動指示を行い、モニタ２を閉状態から開状態へ向かう方向に回転させる。これにより、モニタ２は開状態へと戻る。フロントカバー４０側への所定の外力がなくなると、フロントカバー４０とバックカバー３０は、ばね２７の復元力により、元の位置へと戻り、スイッチ２４はオフとなる。
【００３３】
なお、フロントカバー４０に加わる外力が所定の値を超えなかった場合は、ピン４１がレバー５０の面５３を押して、レバー５０がＲ方向に回転しても、バックカバー３０はシャーシ２０の背面との距離が第１距離になるまで移動しないため、突起３１は基板２３上にあるスイッチ２４を押し込まない。
【００３４】
また、モニタ装置１０がモニタ２を開状態から閉状態へと格納中に、フロントカバー４０ではなく液晶パネル２ｂに外力が加わった場合は、液晶パネル２ｂが固定されているシャーシ２０が、バックカバー３０の方向へ近づくように移動する。そして、バックカバー３０とシャーシ２０の背面との距離が第１距離にまで縮まると、突起３１が基板２３上にあるスイッチ２４を押し込む。スイッチ２４がオンになると、ＣＰＵ１５は、これを検出し、モータ６０を逆転させる駆動指示を行い、モニタ２を閉状態から開状態へ向かう方向に回転させる。これにより、モニタ２は開状態へと戻る。液晶パネル２ｂへの所定の外力がなくなると、ばね２７の復元力により、液晶パネル２ｂとバックカバー３０との間隔は元に戻り、スイッチ２４はオフとなる。
【００３５】
［１−３．効果等］
以上のように、本実施の形態において、モニタ装置１０は、前面及び背面を備えるシャーシ２０と、バックカバー３０と、スイッチ２４と、フロントカバー４０と、レバー５０と、を備える。バックカバー３０は、シャーシ２０の背面に対して近接および離間可能にシャーシ２０の背面側に配置される。スイッチ２４は、バックカバー３０がシャーシ２０の背面に対して第１距離まで近接したことを検出する。フロントカバー４０は、シャーシ２０の前面に対して近接および離間可能にシャーシ２０の前面側に配置される。レバー５０は、フロントカバー４０がシャーシ２０の前面に対して第２距離まで近接するのに伴ってバックカバー３０をシャーシ２０の背面に対して第１距離まで近接させるようにバックカバー３０と接続する。
【００３６】
これにより、モニタ２を展開中に、バックカバー３０側に乗客の頭がぶつかった場合等に、これを所定の外力として検出し、モニタ２を閉状態に移行させるように制御をすることができる。同様に、モニタ２を格納中に、フロントカバー４０側に乗客の手が挟まれた場合等にも、これを所定の外力として検出し、モニタ２を開状態に移行させるように制御をすることができる。そして本実施の形態のモニタ装置１０は、バックカバー３０およびフロントカバー４０のどちらに外力が加わった場合でも、これをシャーシ２０の基板２３上にあるスイッチ２４で検出し、モータ６０の駆動を制御することが可能である。すなわち、本実施の形態のモニタ装置１０は、モニタ２の前後両方向に対する衝突に応じて開閉動作を行うのに有効である。
【００３７】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した各構成要素を組み合わせて、新たな実施の形態とすることも可能である。そこで、以下、他の実施の形態を例示する。
【００３８】
実施の形態１では、モニタ２の先端部の内部構成として、シャーシ２０の背面側にスイッチ２４やレバー５０等を配置し、フロントカバー４０側にピン４１を設ける構成について説明した。モニタ２の先端部における内部構成は、前面側と背面側の構成が逆になっていてもよい。ただしシャーシ２０の前面側には液晶パネル２ｂを配置する空間が必要となる。このため、レバー５０等の構成は実施の形態１で説明したように、背面側に配置するほうがモニタ２をよりコンパクトに構成でき望ましい。
【００３９】
実施の形態１では、レバー５０は、支点の位置において、両端が背面側に向けて屈曲しており、レバー５０の一端部および他端部は、いずれも支点より背面側に位置するように支持される構成について説明した。シャーシ２０におけるレバー５０の他端部側に開口部を設け、レバー５０の他端部がフロントカバー４０側（シャーシ２０の前面側）に突出する構成としてもよい。この場合、ピン４１はシャーシ２０の背面側に突出する必要はない。ただし、この場合はレバー５０がシャーシ２０の前面側に突出できるだけの大きさの開口部が必要となる。したがって、実施の形態１の構成のほうが、これに対してより簡易な構成となるため望ましい。
【００４０】
実施の形態１では、表示パネルとして液晶パネル２ｂを備える構成を説明した。表示パネルは液晶パネルに限らず、有機ＥＬ等であってもよい。また、表示パネルはとしてタッチパネルを採用することもできる。
【００４１】
実施の形態１では、バックカバー３０が取り付け軸２１を中心に回転可能に支持され、これによりモニタ２の先端部においてバックカバー３０がシャーシ２０に対して近接および離間が可能である構成について説明した。バックカバー３０のシャーシ２０への取り付け方法はこれに限らず、バックカバー３０は、シャーシ２０に対して近接及び離間が可能なように平行移動可能に支持するようにしてもよい。フロントカバー４０についても同様である。
【００４２】
実施の形態１では、人や物体の衝突を検出するための構成をモニタ２の先端部に配置する構成について説明した。衝突を検出するための構成は、先端部以外の位置に配置するようにしてもよい。
【００４３】
実施の形態１では、レバー５０の他端部において、ピン４１とレバー５０の面５３とが当接可能である構成について説明した。ピン４１とレバー５０の他端部とは、レバー５０が回転可能に接続されていてもよい。この場合、シャーシ２０とバックカバー３０との間に配置されているばね２７は、シャーシ２０とフロントカバー４０との間に配置することもできる。
【００４４】
実施の形態１では、ピン４１がフロントカバー４０に固定される構成について説明したが、ピン４１は、フロントカバー４０と一体成型により構成することもできる。また、ピン４１は、フロントカバー４０に固定されることなく、レバー５０の他端部と接続し、フロントカバー４０の内面（シャーシ２０側の面）と当接可能に配置することもできる。
【００４５】
実施の形態１では、モニタ２の先端部の長手方向における両端部に、対称に衝突検出のための構成を２つ備えることについて説明した。モニタ装置１０が備える衝突検出のための構成の数は、１つであってもよいし、３つ以上であってもよい。
【００４６】
実施の形態１では、モニタ２の端部側にレバー５０の一端部を、モニタ２の中央部側にレバー５０の他端部を配置したが、モニタ２の端部側にレバー５０の他端部を、モニタ２の中央部側にレバー５０の一端部を配置してもよい。
【００４７】
実施の形態１では、シャーシ２０とバックカバー３０との間にばね２７を配置する構成について説明したが、ばね２７に代えて、クッション材やゴム等の弾性部材を用いることもできる。また、ばね２７を用いずに、ピン４１をばねやゴム等の弾性部材により構成することもできる。この場合、弾性部材で構成されたピン４１とレバー５０の他端部とは回転可能に接続される。
【産業上の利用可能性】
【００４８】
本開示は、モニタの前後両方向に対する衝突に応じて開閉動作を行うことが可能なモニタ装置に適用可能である。具体的には、航空機、列車、バス等の移動体内に設置されるモニタ装置等に、本開示は適用可能である。
【符号の説明】
【００４９】
２    モニタ
２ｂ    液晶パネル
３    回転軸
４    天井
４ａ    荷物棚
５    収納部
１０    モニタ装置
１５    ＣＰＵ
２０    シャーシ
２１    取り付け軸
２２    取り付け軸
２３    基板
２４    スイッチ
２５    軸受
２６    孔
２７    ばね
３０    バックカバー
３１    突起
３５    軸受
４０    フロントカバー
４１    ピン
５０    レバー
５１    軸
５２    軸
５３    面
６０    モータ
【図１】
2016157106.tif 000003
【図２】
2016157106.tif 000004
【図３】
2016157106.tif 000005
【図４】
2016157106.tif 000006
【図５】
2016157106.tif 000007
【図６】
2016157106.tif 000008
【図７】
2016157106.tif 000009
【図８】
2016157106.tif 000010
【図９】
2016157106.tif 000011